【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
画像データに基づいて印刷する印刷装置に接続可能であり、受信した印刷ジョブに基づいて画像データを生成し、生成した画像データを前記印刷装置に送信可能な、画像処理装置であって、
予約時間が設定された予約印刷ジョブを入力する入力手段と、
前記予約印刷ジョブに基づいて画像データを生成する生成手段と、
生成された前記画像データを前記予約時間の前に前記印刷装置に送信し、前記予約時間に前記印刷装置が前記画像データに基づいて印刷するよう予約する、送信手段と、を備え、
前記印刷装置は、前記予約時間に、前記画像処理装置から受信した前記画像データに基づいて印刷する、ことを特徴とする画像処理装置。
【請求項２】
前記印刷装置の状態を受信する受信手段をさらに備え、
前記送信手段は、前記印刷装置の状態が第１電力状態であれば、前記予約時間の前に前記画像データを送信し、前記印刷装置の状態が前記第１電力状態より省電力の第２電力状態であれば、前記予約時間の前に前記画像データを送信しない、ことを特徴とする請求項１に記載の画像処理装置。
【請求項３】
前記送信手段は、前記印刷装置の状態が前記第２電力状態であれば、前記予約時間に前記画像データを送信する、ことを特徴とする請求項２に記載の画像処理装置。
【請求項４】
前記印刷装置の状態が前記第２電力状態であれば、前記生成手段は前記予約時間の前に前記画像データを生成し、前記送信手段は前記予約時間に前記画像データを送信する、ことを特徴とする請求項３に記載の画像処理装置。
【請求項５】
前記送信手段は、前記画像データを送信する前に、前記印刷装置を前記第２電力状態から前記第１電力状態に移行させる移行指示を送信する、ことを特徴とする請求項３又は４に記載の画像処理装置。
【請求項６】
前記送信手段は、前記印刷装置の画像データを記憶する領域の空き容量が所定値より小さい場合に、前記予約時間に前記画像データを前記印刷装置に送信する、ことを特徴とする請求項１乃至５の何れか１項に記載の画像処理装置。
【請求項７】
予約された前記印刷装置での印刷をキャンセルするキャンセル手段をさらに備える、ことを特徴とする請求項１乃至６の何れか１項に記載の画像処理装置。
【請求項８】
前記画像処理装置を第３電力状態から前記第３電力状態より省電力の第４電力状態に移行させる電力制御手段をさらに備え、
前記電力制御手段は、前記画像データを前記印刷装置に送信した後、前記予約時間の前に、前記画像処理装置を前記第４電力状態に移行させることが可能である、ことを特徴とする請求項１乃至７の何れか１項に記載の画像処理装置。
【請求項９】
画像データに基づいて印刷する印刷装置に接続可能であり、受信した印刷ジョブに基づいて画像データを生成し、生成した画像データを前記印刷装置に送信可能な、画像処理装置の制御方法であって、
予約時間が設定された予約印刷ジョブを入力するステップと、
前記予約印刷ジョブに基づいて画像データを生成するステップと、
生成された前記画像データを前記予約時間の前に前記印刷装置に送信するステップと、
前記予約時間に前記印刷装置が前記画像データに基づいて印刷するよう予約するステップと、を有し、
前記印刷装置は、前記予約時間に、前記画像処理装置から受信した前記画像データに基づいて印刷する、ことを特徴とする画像処理装置の制御方法。
【請求項１０】
画像データに基づいて印刷する印刷装置と、受信した印刷ジョブに基づいて画像データを生成し、生成した画像データを前記印刷装置に送信する画像処理装置と、を備える印刷システムであって、
前記画像処理装置は、
予約時間が設定された予約印刷ジョブを入力する入力手段と、
前記予約印刷ジョブに基づいて画像データを生成する生成手段と、
生成された前記画像データを前記予約時間の前に前記印刷装置に送信し、前記予約時間に前記印刷装置が前記画像データに基づいて印刷するよう予約する、送信手段と、を備え、
前記印刷装置は、
前記予約時間に、前記画像処理装置から受信した前記画像データに基づいて印刷する印刷手段を備える、ことを特徴とする印刷システム。
【請求項１１】
前記画像処理装置は、
前記印刷装置の状態を受信する受信手段、をさらに備え、
前記送信手段は、前記印刷装置の状態が第１電力状態であれば、前記予約時間の前に前記画像データを送信し、前記印刷装置の状態が前記第１電力状態より省電力の第２電力状態であれば、前記予約時間の前に前記画像データを送信しない、ことを特徴とする請求項１０に記載の印刷システム。
【請求項１２】
前記送信手段は、前記印刷装置の状態が前記第２電力状態であれば、前記予約時間に前記画像データを送信する、ことを特徴とする請求項１１に記載の印刷システム。
【請求項１３】
前記印刷装置の状態が前記第２電力状態であれば、前記生成手段は前記予約時間の前に前記画像データを生成し、前記送信手段は前記予約時間に前記画像データを送信する、ことを特徴とする請求項１２に記載の印刷システム。
【請求項１４】
前記送信手段は、前記画像データを送信する前に、前記印刷装置を前記第２電力状態から前記第１電力状態に移行させる移行指示を送信する、ことを特徴とする請求項１２又は１３に記載の印刷システム。
【請求項１５】
前記送信手段は、前記印刷装置の画像データを記憶する領域の空き容量が所定値より小さい場合に、前記予約時間に前記画像データを前記印刷装置に送信する、ことを特徴とする請求項１０乃至１４の何れか１項に記載の印刷システム。
【請求項１６】
前記画像処理装置は、
予約された前記印刷装置での印刷をキャンセルするキャンセル手段をさらに備える、ことを特徴とする請求項１０乃至１５の何れか１項に記載の印刷システム。
【請求項１７】
前記画像処理装置は、
前記画像処理装置を第３電力状態から前記第３電力状態より省電力の第４電力状態に移行させる電力制御手段をさらに備え、
前記電力制御手段は、前記画像データを前記印刷装置に送信した後、前記予約時間の前に、前記画像処理装置を前記第４電力状態に移行させることが可能である、ことを特徴とする請求項１０乃至１６の何れか１項に記載の印刷システム。
【請求項１８】
前記印刷装置は、
少なくとも第１電力状態と、前記第１電力状態より省電力の第２電力状態とを有し、
前記予約時間に、前記印刷装置を前記第２電力状態から前記第１電力状態に移行させる移行手段をさらに備え、
前記印刷手段は、前記移行手段が前記印刷装置を前記第２電力状態から前記第１電力状態に移行させた後に、前記画像データに基づいて印刷する、ことを特徴とする請求項１０に記載の印刷システム。
【手続補正２】
【補正対象書類名】明細書
【補正対象項目名】０００８
【補正方法】変更
【補正の内容】
【０００８】
本発明は、画像データに基づいて印刷する印刷装置に接続可能であり、受信した印刷ジョブに基づいて画像データを生成し、生成した画像データを前記印刷装置に送信可能な、画像処理装置であって、予約時間が設定された予約印刷ジョブを入力する入力手段と、前記予約印刷ジョブに基づいて画像データを生成する生成手段と、生成された前記画像データを前記予約時間の前に前記印刷装置に送信し、前記予約時間に前記印刷装置が前記画像データに基づいて印刷するよう予約する、送信手段と、を備え、前記印刷装置は、前記予約時間に、前記画像処理装置から受信した前記画像データに基づいて印刷する、ことを特徴とする。
【手続補正３】
【補正対象書類名】明細書
【補正対象項目名】００８４
【補正方法】変更
【補正の内容】
【００８４】
以上示したように、スケジュール印刷ジョブ設定時の画像形成装置の電源状態によって動作モードを切り替えることで、画像形成システムは、以下の節電効果を奏する。第１の動作モードでは、スケジュール印刷ジョブ投入時の画像形成装置のスリープ状態からの復帰をする必要がなく、より省電力を期待できる。第２の動作モードではスケジュール印刷ジョブを印刷実行するためだけに外付け画像処理コントローラがスリープ状態から復帰する必要がなく、より省電力を期待できる。すでに受け付け、印刷設定されたスケジュール印刷ジョブを印刷するためだけに、外付け画像処理コントローラ１０１が一時的にスリープ状態から起動復帰する必要がなく、その分無駄な電力の消費を抑えることができる。